(57)【要約】  【課題】側溝ブロック、集水枡、擁壁ブロック等のプレキャストコンクリートの基礎を容易に敷設することができ、しかも敷設した後直ちにプレキャスト型のコンクリートブロックを自由に載置することができる基礎構築用コンクリートブロックを提供すること。  【解決手段】側溝ブロック、集水枡、擁壁ブロック等のプレキャスト型のコンクリートブロックを敷設する基礎を構築するための基礎構築用コンクリートブロックにおいて、底面が矩形に形成して、前記プレキャスト型のコンクリートブロックを支持可能な複数の支持部１０と、該複数の支持部間に設けられた溝部２０とを備えた。  【選択図】図１
2009256901.tif 000002
【特許請求の範囲】
【請求項１】
側溝ブロック、集水枡、擁壁ブロック等のプレキャスト型のコンクリートブロックを敷設するための基礎を構築する基礎構築用コンクリートブロックにおいて、
底面形状が正方形、長方形等の矩形に形成されてなり、前記プレキャスト型のコンクリートブロックを支持可能な複数の支持部と、前記複数の支持部間に設けられ、インバートコンクリートが打設される溝部とを備えたことを特徴とする基礎構築用コンクリートブロック。
【請求項２】
前記溝部は、隣接配置された場合に、隣接したコンクリートブロックの溝部と互いに連通するように形成されていることを特徴とする請求項１記載の基礎構築用コンクリートブロック。
【請求項３】
前記溝部の少なくとも一部が底面に貫通していることを特徴とする請求項１又は２記載の基礎構築用コンクリートブロック。
【請求項４】
前記溝部には、鉄筋を載置可能な鉄筋用凹溝が設けられていることを特徴とする請求項１から３のいずれかに記載の基礎構築用コンクリートブロック。
【請求項５】
ブロック側面には、隣接配置されるブロックの凹部と嵌合する凸部を備えていることを特徴とする請求項１から４のいずれかに記載の基礎構築用コンクリートブロック。
【請求項６】
ブロック側面には、隣接配置されるブロックの凸部と嵌合する凹部を備えていることを特徴とする請求項１から５のいずれかに記載の基礎構築用コンクリートブロック。
【発明の詳細な説明】
【技術分野】
【０００１】
本発明は、主として、可変側溝ブロック、集水枡、擁壁ブロック等のプレキャスト型のコンクリートブロックを付設するに際し、敷設部に基礎を構築するために使用されるコンクリートブロックに関する。
【背景技術】
【０００２】
従来、プレキャスト型のコンクリートブロックとして、可変側溝ブロック、集水枡、擁壁ブロック等を付設する場合、以下のような工程で設置される。まず、設置を予定している場所を掘り起こし、砕石を一定の厚さで敷設する。その後、最終的に載置されるプレキャスト型のコンクリートブロックの沈下等を防止するために、敷設された砕石上に生コンクリートを打設して、一定の厚さの均しコンクリートの基礎部を構築する。そして、均しコンクリートが硬化した後、プレキャスト型のコンクリートブロックを載置し、内部に生コンクリートを打設して均しコンクリートとプレキャスト型のコンクリートブロックとを固定する（図１０参照）。
【０００３】
かかる従来の工法では、砕石上に打設した均しコンクリート（生コンクリート）が硬化するまで、ほぼ丸三日間の養生期間が必要である。そのため、この養生期間中は、プレキャスト型のコンクリートブロックを載置施工を継続することができないために工期の長期化を招いていた。また、一端基礎部の均しコンクリートを硬化させた後に、可変側溝等のインバート用生コンクリートを打設するために、図１０に示すように、基礎部とインバートコンクリートとの間の打ち継ぎ面での一体性が悪く、剥離し易かった。また、プレキャスト型コンクリートブロックを基礎部に設置した際に、プレキャスト型のコンクリートブロックが基礎部と完全に一致し、ぴったりと載置できることはほとんどなく、実際にはプレキャスト型のコンクリートブロックと基礎部との間に隙間ができるため、くさび等で調整する必要があった。しかし、このくさびで調整された隙間（すなわち、プレキャスト型のコンクリートブロックと基礎部との間の隙間）は、狭くインバートコンクリートを浸透させることができないため、空間として残ってしまい、基礎部との固定を図ることができなかった。
【０００４】
以上のような問題に鑑みて、本発明者は、コンクリート製の建設製品を支持するコンクリート製略柱状体の基礎ブロックであって、この基礎ブロックの上面側に、充填される生コンクリートの流出を所定範囲で阻止する高さの略全長にわたる突条およびコンクリート製の建設製品の支持高さを調整するための支持高さ調整部を具備すると共に、前記突条がコンクリート製の建設製品の敷設方向と略平行するように、地面に対向設置されることを特徴とする基礎ブロックを提案している（特許文献１）。
【０００５】
係る基礎ブロックを地面に設置すれば、直ちにコンクリート製の建築製品を載置することができるとともに、基礎用生コンクリートの充填も直ちに行うことができ、工期の短縮化を図ることができる。また可変側溝などの底面部に開口を有する建設製品については、基礎用生コンクリートの充填のみならずインバート用生コンクリートの充填も同時に行うことができる。そして、生コンクリートが硬化すると、建設製品はこの基礎構築用コンクリートブロック及び地面に結合され、これにより、建設製品が地面に確実に固定される等の効果を有する。
【０００６】
しかしながら、上記の基礎ブロックは、地面に設置する際に正確にプレキャスト型のブロックの底面に合わせて設置しなければならない。すなわち、基礎ブロックがずれて設置されると可変側溝ブロックの下部と位置が一致しなくなり、基礎ブロックを敷設し直さなければならなくなる可能性を有する。また、係る基礎ブロックでは、生コンクリートを打設したとしても、基礎ブロック内にしかコンクリートが充填せず、結局基礎ブロックの下方（下面側）にコンクリートが充填しないため、完全な基礎部として機能しなかった。また、基礎ブロックとプレキャスト型のコンクリートブロックとの間にインバートコンクリートが浸透しない点は上記従来例と同様の問題点があった。
【０００７】
【特許文献１】特開平１０−３０６４８７号公報
【発明の開示】
【発明が解決しようとする課題】
【０００８】
本発明は、以上の問題点に鑑みて案出されたものであり、側溝ブロック、集水枡、擁壁ブロック等のプレキャストコンクリートの基礎を容易に敷設することができ、しかも敷設した後直ちにプレキャスト型のコンクリートブロックを基礎部上面に設置位置の自由度を有して載置することができる基礎構築用コンクリートブロックを提供することにある。
【課題を解決するための手段】
【０００９】
以上のような課題を解決するために、本発明が採った手段は以下の通りである。
【００１０】
本発明請求項１に係る基礎構築用コンクリートブロック１００は、側溝ブロック、集水枡、擁壁ブロック等のプレキャスト型のコンクリートブロックを敷設する基礎を構築するための基礎構築用コンクリートブロックにおいて、底面形状が矩形に形成されてなり、前記プレキャスト型のコンクリートブロックを支持可能な複数の支持部１０と、該複数の支持部間に設けられた溝部２０とを備えたことをその要旨とする。
【００１１】
プレキャスト型のコンクリートブロックを支持可能な複数の支持部１０を設けたことによって、基礎構築用コンクリートブロック１００の上面に載置されるプレキャスト型のコンクリートブロックを方向、位置の自由度を有した状態（すなわち、多少ずれても問題なく設置できる）で載置可能にしたものである。また、これら複数の支持部１０の間に溝部２０を設けたことによって、この溝部２０にインバートコンクリートを流し込むことにより、溝部２０間にプレキャスト型のコンクリートブロックの内側及び下部にコンクリートを充填させることができる。そのため、インバートコンクリートと一体になった平板状のコンクリート基礎を構築できる。また、プレキャスト型のコンクリートブロックの下面には溝部２０が設けられているので、この部分にインバートコンクリートが完全に浸透して、プレキャスト型のコンクリートブロックの下面との接合を図ることができる。
【００１２】
本発明請求項２に係る基礎構築用コンクリートブロック１００は、隣接配置した場合に、前記溝部は、隣接設置されたブロックの溝部と互いに連通するように形成されていることをその要旨とする。
【００１３】
基礎構築用コンクリートブロック１００を隣接配置させた際に、インバートコンクリートが隣の基礎構築用コンクリートブロックの溝部２０まで流れていくようにさせたものである。これによって隣接したブロックともインバートコンクリートで固定され、最終的に１枚の板状の基礎を構築させることができる。
【００１４】
本発明請求項３に係る基礎構築用コンクリートブロック１００は、前記溝部２０の少なくとも一部が底面に貫通していることをその要旨とする。
【００１５】
溝部２０の少なくとも一部に、底面と貫通している貫通孔３０を設けることによって、インバートコンクリートを基礎砕石まで浸透させることができるようにしたものである。これによって、インバートコンクリートと砕石を一体化させることができる。
【００１６】
本発明請求項４に係る基礎構築用コンクリートブロック１００は、前記溝部２０には、鉄筋を載置可能となるように鉄筋用凹溝４０が設けられていることをその要旨とする。
【００１７】
溝部２０に鉄筋を載置させて、基礎構築用コンクリートブロックの強度を強化できるようにしたものである。また、係る構成を採用したことにより、隣接した基礎構築用コンクリートブロック１００との連結固定性も高めることができる。
【００１８】
本発明請求項５に係る基礎構築用コンクリートブロック１００は、ブロック側面に隣接配置されるブロックの凹部６０と嵌合する凸部５０を備えていることをその要旨とする。また、請求項６に係る基礎構築用コンクリートブロック１００は、ブロック側面に隣接配置されるブロックの凸部５０と嵌合する凹部６０を備えていることをその要旨とする。
【００１９】
これは、隣接配置される基礎構築用コンクリートブロック１０との縦、横、高さの位置とのずれを少なくするためのものであり、隣合った凹凸を嵌合させることによって、隣合ったブロック同士の位置関係が規制されて常に一定の位置関係を維持できるようになる。
【発明の効果】
【００２０】
上記手段を採ったことにより得られる効果は以下の通りである。
【００２１】
本発明に係る基礎構築用コンクリートブロックによれば、基礎を構築する際に本基礎構築用コンクリートブロックを載置すれば、直ちに可変側溝ブロック、集水枡及び側溝ブロック等のプレキャスト型コンクリートブロックを、本ブロックの上面であれば設置位置を限定することなく載置して施工を継続することができる。よって従来のように基礎部の養生期間を必要としないため工期を大幅に短縮することができる。また、プレキャストコンクリートを設置するときの位置の自由度が高いので、基礎構築用コンクリートブロックの敷設自体もわざわざ設置位置を測定して正確に配置する必要はなく、おおよその位置で敷設することができる。
【００２２】
また、プレキャスト型のコンクリートブロックを載置した後に、プレキャスト型のブロック内部及び基礎構築用コンクリートブロックの溝部に同時にインバートコンクリートを流し込むので、これらのコンクリートを一体のものとして硬化させることができる。従って、従来のように基礎コンクリートを硬化させてからインバートコンクリートを流し込むのと異なり、打ち継ぎ面が形成されることなく、プレキャスト型のブロック内部及び基礎構築用コンクリートブロックの溝部（すなわち、基礎部）とを一体のものとすることができる。このようにしてインバートコンクリートが流し込まれたコンクリートは、溝部に流れ込んだインバートコンクリートと基礎構築用ブロックとが一体となり、プレキャスト型のコンクリートブロックの下面で一枚の板状の基礎部となる。
【発明を実施するための最良の形態】
【００２３】
本発明の「基礎構築用コンクリートブロック」を実施するための最良の形態について説明する。
【００２４】
本発明に係る基礎構築用コンクリートブロックは、プレキャスト型のコンクリートブロックを上面で支持する複数の支持部と、この支持部間に設けられた溝部とを備えている。本発明の基礎構築用コンクリートブロックは、プレキャスト型のコンクリートブロックを設置する場所に敷設して、基礎部構築するためのものであり、支持部に可変側溝ブロック、集水枡及び側溝ブロック等のプレキャスト型コンクリートブロックを載置して使用される。基礎構築用コンクリートブロックは、１枚でブロック全体の基礎となるようにプレキャスト型のコンクリートブロックよりも大きなブロックとしてもよいし、複数の基礎構築用コンクリートブロックを連続配置して基礎部を構築することができるようにプレキャスト型のコンクリートブロックよりも小さなブロックとしてもよい。
【００２５】
支持部は、上面に載置されるプレキャスト型のコンクリートブロックを支持するため、上面が平面で形成されていて、その上面は全て同じ高さに設けられる。支持部の形状は特に限定するものではなく、円柱状、角柱状等適宜選択することができる。好ましくは、図１に示されているような十字型のように側面積が大きく、かつ凹凸が多くなるような形状に設ければ、インバートコンクリートを打設したときに、インバートコンクリートとの接触面積が増加し、基礎構築用コンクリートブロックとの固着性が高くなるためインバートコンクリートとのズレが生じにくくなる。１つの基礎構築用コンクリートブロックに設ける支持部の数は、限定されるものではなく、基礎構築用コンクリートブロックの大きさ（面積）に応じて変更することができる。
【００２６】
また、支持部の配列も特に限定するものではない。図１に示されているように、縦横に溝部が格子状になるように配列してもよいし、図８に示されているように、縦又は横方向に一部の支持部をずらして、横方向又は縦方向に支持部と溝部が交互に現れるように設けてもよい。このように縦又は横方向に一部の支持部をずらして設けることによって、例えば図８では、縦方向には、溝が直線で現れることはなく、ジグザグに現れるため、下面が比較的細い壁面を有するプレキャスト型のコンクリートブロック（例えば可変側溝ブロック）を載置しても溝内にブロックが落ちることがなくなる（図９参照）。
【００２７】
溝部は前記支持部の間に設けられるものである。この溝部にインバートコンクリートを打設し、溝部を通じて四方の溝にインバートコンクリートを流し込ませることによって、基礎構築用コンクリートブロックの溝全体にインバートコンクリートを行き届かせることができる。溝部の深さや幅は限定するものではなく、インバートコンクリートが周囲に流れ込むことができるような範囲で適宜設定することができる。図１に示されているように、支持部を縦横に配列して設ければ、溝も縦横方向に格子状に設けられるため、インバートコンクリートが流れ込み易くなる。
【００２８】
基礎構築用コンクリートブロックを隣接配置して基礎部を構築する場合には、溝部は互いに連通するように設けることが好ましい。係る構成を採用することによって、インバートコンクリートが隣の基礎部にも流れ込み隣接したブロック同士を固定することができる。尚、溝部は、必ずしも側面の断面の形状を同一にして完全に一致させる必要はなく、たとえ、溝部がずれていても、インバートコンクリートが溝部を通じて流れ込むことができる程度に連通していれば十分である。
【００２９】
また、溝部の下面に、少なくとも一部が基礎コンクリートブロック底面に通じている貫通孔を設けてもよい。貫通孔を設けておくことによって、インバートコンクリートを充填したときに、インバートコンクリートが砕石面まで到達して基礎構築用コンクリートブロックを地面に固定させることができる。
【００３０】
また、本発明の溝部には、鉄筋を配置するための鉄筋用凹溝を設けても良い。この鉄筋用凹溝を設ければ、溝に鉄筋を安定して配置することができ、配置した後にインバートコンクリートを流し込んで固定することで基礎構築用コンクリートブロックの基礎としての強度を向上させることができる。また、基礎構築用コンクリートブロックを隣接配置して基礎部を構築する場合には、隣接する基礎構築用コンクリートブロックを跨いで鉄筋を配置することにより連結性を高めることもできるようになる。
【００３１】
さらに、側面に隣接したときに互いの基礎構築用コンクリートブロックが嵌合し合うことができるように、凹部及び凸部を設けてもよい。この凹部及び凸部を嵌合させることによって、隣接する基礎構築用コンクリートブロックの互いの縦、横及び高さ方向の互いの位置を規制でき、整然と並べることができるようになる。特に、高さ方向の位置ズレを防止できる点は、複数の基礎構築用ブロックを平面に設置し易くなるので、効果的である。この凸部は凹部は任意に設けられるものであり、例えばあえてずらして配置したい場合や、かえって凸部があるために設置が煩雑になる場合は設ける必要はない。
【００３２】
以上のように構成された基礎構築用コンクリートブロックは、基礎を構築する場所に敷設されて、可変側溝ブロック、集水枡及び側溝ブロック等のプレキャスト型コンクリートブロックを設置するための基礎をなす。そして、その上面にプレキャスト型のコンクリートブロックを載置した後、インバートコンクリートを溝部に打設して基礎コンクリートとして機能させることができる。尚、インバートコンクリートは必ずしも、最末端まで行き届かせる必要はなく、基礎として十分な程度充填されれば、一部インバートコンクリートが充填されていない溝部があっても問題ないし、逆に、溝部の端からインバートコンクリートが流れだしていても問題はない。
【００３３】
また、載置されるプレキャスト型のコンクリートブロックの内側及び外側の両方からインバートコンクリートを打設しても構わない。プレキャスト型のブロックの下端両側にインバートコンクリートを打設して壁面を両側から固定すれば、より堅固に固定することができるようになる。
【実施例１】
【００３４】
以下、基礎構築用コンクリートブロック１００の最適な実施例について、沿って、図１〜５に沿って集水枡１１０を設置する例を用いて詳細に説明する。尚、以下に説明する実施例及び図面は、本発明の実施例の最適な形態を例示するものであり、これらの構成に限定する目的に使用されるものではない。図１は、実施例１に係る基礎構築用コンクリートブロック１００の斜視図を示す。
【００３５】
実施例１に係る基礎構築用コンクリートブロック１００は、底面形状が正方形に形成されており、複数の支持部１０とその間に設けられた溝部２０とを備えている。支持部１０は、９本設けられており、全て上平面が同じ高さになるように設けられている。また中央の支持部１０ａは、その断面形状が十字形状となるように形成されており、周囲の支持部１０ｂは、隣接配置した際に十字形状となるように設けられている。なお、凸部の断面は特に限定するものではなく、図２に示されたように円形に設けても構わない。
【００３６】
溝部２０は、前記支持部１０の間に格子状となるように設けられている。溝部２０は、インバートコンクリートが進入し易いように上側が広く下側が狭くなるように形成されている。溝部２０の下面には、鉄筋を載置することができるように鉄筋の太さよりも若干大きい外径を有する半円径の断面を有するように鉄筋用凹溝４０が設けられている。
【００３７】
格子状に設けられている溝部２０の交差部の下面には、基礎構築用コンクリートブロック１００の下面まで貫通している貫通孔３０が設けられている。この貫通孔は任意に設けられるものである。
【００３８】
基礎構築用コンクリートブロック３０の側面には、凸部５０と凹部６０が設けられている。図１に示すように凸部５０及び凹部６０は、それぞれ隣接する２側面に設けられている。凹部６０は、隣接配置される他の基礎構築用ブロックに設けられた凸部５０と嵌合できるように、凸部５０の形状とほぼ同様の形状となるように凹部６０が形成されている。この凸部５０と凹部６０は、任意に設置でき、必ずしも設ける必要はない。
【００３９】
さて、以上のように構成された基礎構築用コンクリートブロック１００は、砕石が敷き詰められた上に、図４に示すように、互いの凸部５０及び凹部６０を嵌合させながら、平板状となるように隣接配置して敷設される。このときに、凸部５０を凹部６０に嵌合させつつ敷設しているので、縦横のずれを最小限に抑えて配置することができ、また、高さ方向もずれを小さく平板状に敷設することができる。
【００４０】
そして、敷き詰められた基礎構築用コンクリートブロック１００の鉄筋用凹溝４０に、鉄筋を複数の基礎構築用コンクリートブロック１００を跨ぐように載置する（図３参照）。その後、図４（鉄筋は省略してある）に示すように集水枡１１０を載置した後、集水枡１１０内側にインバートコンクリートを打設する。打設したインバートコンクリートは、溝部２０を介して周囲に流れていき、図５に示すように各溝部２０を埋め尽くすことになる。インバートコンクリートは、さらに集水枡１１０の内部で１２０ａで示されるように一定の厚さ（高さ）を有するように打設される。
【００４１】
こうして打設されたインバートコンクリートは硬化することにより、基礎構築用コンクリートブロック１００、溝部２０のインバートコンクリート１２０ｂ及び集水枡１１０の内側のインバートコンクリート１２０ａが一体に形成されて集水枡１１０は、固定されることになる。また、インバートコンクリートは、前記貫通孔３０から基礎構築用コンクリートブロックの下にも流れ込むため、下に敷かれた砕石とも一体に固定される。
【００４２】
なお、インバートコンクリートを集水枡１１０の外側にも打設して内側と外側の両方から集水枡１１０を固定してもよい（図示しない）。
【００４３】
こうして固定された集水枡１１０は、図６に示すように集水枡１１０内のインバートコンクリート１２０ａと溝部２０内のインバートコンクリート１２０ｂは、従来の工法のように均しコンクリートを一端硬化させた後に集水枡内部にのみインバートコンクリートを打設した場合と異なり、完全に一体になり、図６のαに示す線の部分に境界面（打ち継ぎ面）が形成されることはない。
【００４４】
勿論、本基礎構築用コンクリートブロック１００は、集水枡１１０のみに用いられるものではなく、側溝ブロック、擁壁ブロック等の種々のプレキャスト型のコンクリートブロックに使用することができる。側溝ブロックに利用した例として、図７に示しておく。
【実施例２】
【００４５】
実施例２に係る基礎構築用コンクリートブロック１００の最適な実施例について、図８及び図９に沿って詳細に説明する。実施例２に係る基礎構築用コンクリートブロック１００も、実施例１と同様に、支持部１０と溝部２０を備えている。この実施例１においては、溝部２０は格子状には形成されていない。溝２０は横方向には直線状に形成されているが、縦方向には、支持部１０と溝部２０が交互に現れるように配置されている。以上のように構成することによって、例えば、プレキャスト型コンクリートブロックの下端壁１１１の幅が溝部２０より狭いものを用いた場合であっても、直線上の溝部２０が存在しないため、溝部２０に下端壁１１１が溝部２０落ち込むことはなく、必ずいずれかの支持部１０がプレキャスト型コンクリートブロックの下端壁を支持することになる。実施例２の敷設方法及び使用方法が実施例１と同様であるので、説明を省略する。
【産業上の利用可能性】
【００４６】
本発明に係る基礎構築用コンクリートブロック１００は、可変側溝ブロック、擁壁ブロック、集水枡等のプレキャスト型のコンクリートブロックを敷設する際に、基礎として利用しうるものである。
【図面の簡単な説明】
【００４７】
【図１】実施例１に係る基礎構築用コンクリートブロック１００の斜視図である。
【図２】実施例１に係る基礎構築用コンクリートブロック１００の支持部１０の変形例を示す斜視図である。
【図３】実施例１に係る基礎構築用コンクリートブロック１００に鉄筋を配置した状態を示す側面図である。
【図４】実施例１に係る基礎構築用コンクリートブロック１００の施工工程の一部を示す斜視図である。
【図５】実施例１に係る基礎構築用コンクリートブロック１００に集水枡を設置した状態を示す斜視図である。
【図６】実施例１に係る基礎構築用コンクリートブロック１００に集水枡を設置した状態を示す側方断面図である。
【図７】実施例１に係る基礎構築用コンクリートブロック１００に可変側溝ブロックを適用した状態を示す斜視図である。
【図８】実施例２に係る基礎構築用コンクリートブロック１００の斜視図である。
【図９】実施例２に係る基礎構築用コンクリートブロック１００の施工工程の一部を斜視図である。
【図１０】従来の施工によって、プレキャスト型のコンクリートブロックを施工した状態を示す側方断面図である。
【符号の説明】
【００４８】
１０      支持部
２０      溝部
３０      貫通孔
４０      鉄筋用凹溝
５０      凸部
６０      凹部
７０      固定用プレート
１００    基礎構築用コンクリートブロック
【図１】
2009256901.tif 000003
【図２】
2009256901.tif 000004
【図３】
2009256901.tif 000005
【図４】
2009256901.tif 000006
【図５】
2009256901.tif 000007
【図６】
2009256901.tif 000008
【図７】
2009256901.tif 000009
【図８】
2009256901.tif 000010
【図９】
2009256901.tif 000011
【図１０】
2009256901.tif 000012